(57)【要約】【課題】協約形寸法の負荷運転表示機器の負荷の運転操作と表示を備えた操作表示部を本体部から取り外したり本体部に取り付けたりするのに専用の金具、取り付けネジやドライバーを必要とせず、しかも分電盤などに組み込んだり、他の盤用機器に並べた時に制約されることなく操作表示部の取り外しや取り付けができる協約形寸法の負荷運転表示機器を提供する。【解決手段】協約形寸法の負荷運転表示機器１の本体部２には係合凸部８（または係合凹部）が設けられており、操作表示部３には係合凹部９が設けられており、本体部２の係合凸部８を操作表示部３の係合凹部９（または係合凸部）に係合させる摺動ガイドを構成し、本体部２の係合爪部７と操作表示部３の係止穴部８に係止させ操作表示部３を本体部２に摺動させて取り外したり取り付けたりする。【選択図】図１
2009162710.tif 000002
【特許請求の範囲】
【請求項１】
分電盤用協約形配線用遮断器と同様の外形寸法に形成された協約形寸法の負荷運転表示機器であり、負荷の運転・故障信号や電源を接続する端子を備えた本体部と、前記本体部と電気的・機械的に接続して負荷の運転操作と表示を行う操作表示部とを備え、操作表示部は本体部から取り外したり操作表示部を本体部に取り付けたりすることができる協約形寸法の負荷運転表示機器において、前記本体部に設けた係合部を前記操作表示部に設けた係合部に係合させて摺動ガイドとし、前記本体部に設けた係合爪部を前記操作表示部に設けた係止穴部に係止させて前記操作表示部を前記本体部に摺動させて取り外したり取り付けたりすることを特徴とした協約形寸法の負荷運転表示機器。
【請求項２】
前記本体部の係合部を係合凸部とし、前記操作表示部の係合部を係合凹部としたことを特徴とする請求項１記載の協約形寸法の負荷運転表示機器。
【請求項３】
前記本体部の操作表示部の底面部を受ける本体部の四方角部に前記嵌合凹部を設け、前記操作表示部の四方底面部に前記嵌合凸部を設けて操作表示部を本体部に取り付けることを特徴とした請求項１または請求項２記載の協約形寸法の負荷運転表示機器。
【発明の詳細な説明】
【技術分野】
【０００１】
本発明は、分電盤などの盤に組み込む分電盤用協約形配線用遮断器と同様の寸法に形成された協約形寸法の負荷運転表示機器に関するものである。
【背景技術】
【０００２】
従来、この種の盤用機器においては、表示部を見やすくする目的より、表示部のみを取り外したり取り付けたりする計測表示装置（例えば、特許文献１参照）または、協約機器においては、タイムスイッチ（例えば、特許文献２参照）などで表示部をタテ向き、ヨコ向きに回転可能としたものが知られている。
【特許文献１】特開２００５−３００３６４号公報
【特許文献２】特開平１０−２６９９１７号公報
【発明の開示】
【発明が解決しようとする課題】
【０００３】
しかしながら、特許文献１に開示されている計測部と計測表示部からなる計測表示装置の構成では、計測部から計測表示部を取り外したり取り付けたりする手段には、計測部のケース上面にネジとそのネジを使用した係止固定板を止める構造となっており、計測表示部の取り外しや取り付けにはネジと係止固定板が計測部に備わっていなければならず、さらに場合によれば、係止固定板を後退位置や移動する際、固定ネジを緩めるためにドライバーを使用するなど手間となる課題を有していた。
【０００４】
また、特許文献２に開示されているタイムスイッチの構成では、分電盤などの盤に組み込んだり、盤用機器と並べる場合がある。その場合の機器のブレーカハンドルなどの操作部に近接配置されていてロック解除用の摘みを手で操作し難い場合には、ロック解除用凹部にマイナスドライバーの先端などの小突起を差し込む必要があり、手間となる課題を有していた。
【０００５】
本発明は、前記従来の課題を解決するもので、ドライバーを使用せずに本体部から操作表示部を取り外したり操作表示部を本体部に取り付けたりするのに制約がなく、また分電盤などに組み込んだり、盤の扉などのパネルに組み込んだり、他の盤用機器に並べた時に制約されることなく操作表示部を取り外しや取り付けができる協約形寸法の負荷運転表示機器を提供することを目的とする。
【課題を解決するための手段】
【０００６】
分電盤用協約形配線用遮断器と同様の外形寸法に形成された協約形寸法の負荷運転表示機器であり、負荷の運転・故障信号や電源を接続する端子を備えた本体部と、前記本体部と電気的・機械的に接続して負荷の運転操作と表示を行う操作表示部とを備え、操作表示部は本体部から取り外したり操作表示部を本体部に取り付けたりすることができる協約形寸法の負荷運転表示機器において、前記本体部に設けた係合凸部または係合凹部の係合部を前記操作表示部に設けた係合凹部または係合凸部の係合部に係合させて摺動ガイドとし、前記本体部に設けた係合爪部を前記操作表示部に設けた係止穴部に係止させて前記操作表示部を前記本体部に摺動させて取り外したり取り付けたりすることを特徴とする。
【０００７】
さらに、前記本体部の操作表示部の底面部を受ける本体部の四方角部に前記嵌合凹部を設け、前記操作表示部の四方底面部に前記嵌合凸部を設けて操作表示部を本体部に取り付けることを特徴とする。
【発明の効果】
【０００８】
本発明の協約形寸法の負荷運転表示機器は、分電盤用協約形配線用遮断器と同様の外形寸法に形成された協約形寸法の負荷運転表示機器であり、負荷の運転・故障信号や電源を接続する端子を備えた本体部と、前記本体部と電気的・機械的に接続して負荷の運転操作と表示を行う操作表示部とを備え、操作表示部は本体部から取り外したり操作表示部を本体部に取り付けたりする協約形寸法の負荷運転表示機器において、前記本体部に設けた係合凸部または係合凹部の係合部を前記操作表示部に設けた係合凹部または係合凸部の係合部に係合させて摺動ガイドとし、前記本体部に設けた係合爪部を前記操作表示部に設けた係止穴部に係止させて前記操作表示部を前記本体部に摺動させて取り外したり取り付けたりするので、専用の金具、取り付けネジやドライバーを必要とせず、しかも分電盤などに組み込んだり、他の盤用機器に並べた時に制約されることなく操作表示部の取り外しや取り付けができ、操作表示部の向きを換えたり、盤の扉などのパネルに配置できる。さらに、前記本体部の操作表示部の底面部を受ける本体部の四方角部に前記嵌合凹部を設け、前記操作表示部の四方底面部に前記嵌合凸部を設けて嵌合させることにより操作表示部を本体部に強固に取り付けることができる。
【発明を実施するための最良の形態】
【０００９】
以下、本発明の実施の形態について、図面を参照しながら説明する。なお、この実施の形態によって本発明が限定されるものではない。
【００１０】
図１から図４は、分電盤用協約形配線用遮断器と同様の外形寸法に形成された協約形寸法の負荷運転表示機器の実施の形態を示す。
【００１１】
分電盤用協約形配線用遮断器と同様の外形寸法に形成された協約形寸法の負荷運転表示機器１は負荷の運転・故障信号や電源を接続する端子を備えた本体部２と、その本体部２と電気的・機械的に接続して負荷の運転操作をする操作部３２と表示部３１を備えた操作表示部３とからなる。本体部２の操作表示部３を収容する箇所には係合凸部８が設けられており、操作表示部３には係合凹部９が設けられている。本体部２の係合凸部８を操作表示部３の係合凹部９に係合させて摺動ガイドを構成する。なお、図示しないが、この摺動ガイドは本体部２の係合凸部８を係合凹部とし、操作表示部３の係合凹部９を係合凸部と置き換えてもよい。また、本体部２には係合爪部７が設けられており、この係合爪部７を係止させる操作表示部３には係止穴部８が設けられている。さらに、本体部２の操作表示部３の底面部を受ける本体部２の四方角部に嵌合凹部１１を設け、操作表示部３の四方底面部に嵌合凸部１０を設けて嵌合させることにより操作表示部３を本体部２に強固に取り付けることができる。
【００１２】
次に、本体部２から操作表示部３を取り外したり本体部２に操作表示部３を取り付けたりする手順を以下、説明する。
【００１３】
取り付けている操作表示部３を本体部２から取り外すには、操作表示部３の摘み部４を摘んで、図２に示すように取り外し方向Ａで摘み上げることにより、操作表示部３の嵌合凸部１０と本体部２の嵌合凹部１１との嵌合が解除されて、図３に示すように本体部２に設けている係合爪部７に係合していた係止穴部５を設けた係止穴用側面板６が内側方向Ｄに作用し、係合爪部７から係止穴部５を設けた係止穴用側面板６が外れ、取り外し方向Ａに作用し、さらに操作表示部３の嵌合凸部１０が本体部２の嵌合凹部１１から外れ、図４のように本体部２に設けている係合凸部８を操作表示部３の係合凹部９に摺動ガイドして操作表示部３が取り外される。
【００１４】
逆に、取り外している操作表示部３を本体部２に取り付けるには、操作表示部３の摘み部４を摘んで、図４に示すように、取り付け方向Ｂに押し込むことで、本体部２の係合凸部８と操作表示部３の係合凹部９が摺動ガイドにより取り付け方向Ｂに摺動させる。その際に、図３に示すように操作表示部３の係止穴部５を設けた係止穴用側面板６は、本体部２の係合爪部７に沿って内側方向Ｄに作用し、図２の係合爪部７を係止穴部５に係合させて、さらに操作表示部３が本体部２に強固に嵌合する目的で設けている嵌合凸部１０が、本体部２の嵌合凹部１１に嵌合して、操作表示部３は本体部２に取り付けられる。
【００１５】
次に、図５及び図６にて、本発明の協約形寸法の負荷運転表示機器においてブレーカと並べられた操作表示部を９０度回転させて取り付ける状態及び回転後に取り外す状態を示す実施の形態を以下、説明する。
【００１６】
協約形寸法の負荷運転表示機器１において、９０度回転させてブレーカと並べられた操作表示部３を取り付けるには、操作表示部３の摘み部４を摘んで取り付け方向Ｂに押し込んで、本体部２の係合凸部８と操作表示部３の係合凹部９を取り付け方向Ｂに摺動させる。その際に、図３に示すように操作表示部３の係止穴部５を設けた係止穴用側面板６は、本体部２の係合爪部７に沿って内側方向Ｄに作用し、図２に示す係合爪部７が係止穴部５に係合する。その際、操作表示部３が本体部２に強固に嵌合する目的で設けている嵌合凸部１０が、本体部２の嵌合凹部１１に嵌合する。
【００１７】
以上のように、操作表示部３の周囲四方の側面に摘み部４と係合凹部９と係止穴５を設けた係止穴用側面板６とが形成されている。協約形寸法の負荷運転表示機器１を分電盤に組み込んだ場合において、協約形寸法の負荷運転表示機器１の操作表示部３が隣接する機器のブレーカハンドル５０などの操作部に近接して配置されていても、操作表示部３の摘み部４を取り外し方向Ａで摘み上げることで協約形寸法の負荷運転表示機器１の本体部２からブレーカと並べられた操作表示部３を取り外して９０度回転方向Ｃを換えて協約形寸法の負荷運転表示機器１への取り付けが容易にできる。
【００１８】
次に、図７から図１１において、図１から図４に示す実施形態を利用して、協約形寸法の負荷運転表示機器の本体部から取り外した操作表示部を盤の扉などのパネルの操作表示用取り付け枠に取り付ける実施の形態を以下に説明する。
【００１９】
まず、図７において、盤の扉などのパネル１４には操作表示用取り付け枠部１２の外側面に相当する寸法で縁を有するパネル開口部１５が設けられている。操作表示用取り付け枠部１２の背面部をパネル方向Ｅに押し込んでパネル開口部１５に挿入することにより、図８に示すように、操作表示用取り付け枠１２の係止爪１３がパネル１４のパネル開口部１５の縁に係止されて操作表示用取り付け枠部１２はパネル１４に固定する。
【００２０】
次に、図９において、協約形寸法の負荷運転表示機器１の本体部２から取り外した操作表示部３を用意して、操作表示部３の摘み部４を摘んで、操作表示部３背面部をパネル方向Ｅに押し込む操作により操作表示用取り付け枠部１２の係合凸部８と操作表示部の係合凹部９が摺動して操作表示部３は操作表示用取り付け枠部１２に取り付けられる。その際、図１０に示すように操作表示部３の係止穴部５を設けた係止穴用側面板６は、操作表示用取り付け枠部１２の係合爪部７に沿って内側方向Ｄに作用し、図１１に示すように係合爪部７が係止穴部５に係合して操作表示部３が操作表示用取り付け枠部１２に強固に嵌合する目的で設けている嵌合凸部１０が操作表示用取り付け枠部１２の嵌合凹部１１に嵌合する。このようにして、協約形寸法の負荷運転表示機器１の本体部２から取り外した操作表示部３は、盤の扉などのパネル１４に配置可能となる。
【図面の簡単な説明】
【００２１】
【図１】本発明の実施の形態における協約形寸法の負荷運転表示機器の操作表示部を取り外した状態を示す斜視図である。
【図２】本発明の実施の形態における協約形寸法の負荷運転表示機器の本体部と操作表示部を取り付けた状態を示す要部断面図である。
【図３】本発明の実施の形態における協約形寸法の負荷運転表示機器の本体部から操作表示部を取り外す状態を示す要部断面図。
【図４】本発明の実施の形態における協約形寸法の負荷運転表示機器の本体部に操作表示部を取り付ける状態を示す要部断面図である。
【図５】本発明の実施の形態における協約形寸法の負荷運転表示機器において、ブレーカと並べられた操作表示部を回転させて取り付ける状態を示す斜視図である。
【図６】本発明の実施の形態における協約形寸法の負荷運転表示機器において、ブレーカと並べられた操作表示部を回転させて取り付けて後、操作表示部を取り外す状態を示す斜視図である。
【図７】盤の扉などのパネルに操作表示用取り付け枠部を取り付ける状態を示す斜視図である。
【図８】盤の扉などのパネルに操作表示用取り付け枠部を取り付けた状態を示す断面図である。
【図９】本発明の協約形寸法の負荷運転表示機器において、パネルの操作表示用取り付け枠と操作表示部との関係を示す斜視図である。
【図１０】本発明の協約形寸法の負荷運転表示機器において、パネルの操作表示用取り付け枠から操作表示部を取り外す状態を示す要部断面図である。
【図１１】本発明の協約形寸法の負荷運転表示機器において、パネルの操作表示用取り付け枠に操作表示部を取り付けた状態を示す要部断面図である。
【符号の説明】
【００２２】
１  協約形寸法の負荷運転表示機器
２  本体部
３  操作表示部
４  摘み部
５  係止穴部
６  係止穴用側面板
７  係合爪部
８  係合凸部
９  係合凹部
１０  嵌合凸部
１１  嵌合凹部
１２  操作表示用取り付け枠部
１３  係止爪
１４  パネル
１５  パネル開口部
２１  端子部
２２  取り付け部
３１  表示部
３２  操作部
５０  ブレーカハンドル
Ａ  取り外し方向
Ｂ  取り付け方向
Ｃ  回転方向
Ｄ  内側方向
Ｅ  パネル方向
【図１】
2009162710.tif 000003
【図２】
2009162710.tif 000004
【図３】
2009162710.tif 000005
【図４】
2009162710.tif 000006
【図５】
2009162710.tif 000007
【図６】
2009162710.tif 000008
【図７】
2009162710.tif 000009
【図８】
2009162710.tif 000010
【図９】
2009162710.tif 000011
【図１０】
2009162710.tif 000012
【図１１】
2009162710.tif 000013